(57)【特許請求の範囲】
【請求項１】
架設された吊り線あるいは一体となった抗張力線により架渉された架空光ケーブルの接続作業台において、
接続作業台は接続装置を移動及び回転可能に搭載し、該接続作業台は接続される一方の架空光ケーブルと接続される他方の架空光ケーブルとの間の位置であってこれらの架空光ケーブルに支持されていることを特徴とする架空光ケーブルの接続作業台。
【請求項２】
分岐光ケーブルと架設された吊り線あるいは一体となった抗張力線により架渉された架空光ケーブルとを接続する作業台において、
接続作業台は接続装置を移動及び回転可能に搭載し、該接続作業台は分岐する一方の架空光ケーブルと対抗する他方の架空光ケーブルとの間の位置であってこれらの架空光ケーブルに支持されていることを特徴とする架空光ケーブルの接続作業台。
【請求項３】
接続作業台はベース板と、ベース板上を移動可能に、かつベース板を横切るように設けられた移動板とを備え、前記ベース板はアームによって架空光ケーブルに取り付けられたことを特徴とする請求項１又は２に記載の架空光ケーブルの接続作業台。
【請求項４】
移動板の上において、一方の側には調整機構を介して接続装置、他方の側にはカウンターバランサーが配置されたことを特徴とする請求項３に記載の架空光ケーブルの接続作業台。
【請求項５】
調整機構は高さ及びベース板と直角方向に移動可能であり、また、垂直軸の回りに回転可能であることを特徴とする請求項４に記載の架空光ケーブルの接続作業台。
【請求項６】
接続装置とカウンターバランサーは移動板の上で一方を移動すると他方は反対方向に追随して同調しながら移動可能であることを特徴とする請求項４に記載の架空光ケーブルの接続作業台。
【請求項７】
接続装置が融着接続機であることを特徴とする請求項１、２、４、６のいづれか１項記載の架空光ケーブルの接続作業台。
【請求項８】
架設された吊り線あるいは一体となった抗張力線で架渉された架空光ケーブルの接続方法において、
接続作業台は接続される一方の架空光ケーブルと接続される他方の架空光ケーブルとの間の位置であってこれらの架空光ケーブルに支持され、接続装置を前記接続作業台の上で移動あるいは回転させて接続することを特徴とする架空光ケーブルの接続方法。
【請求項９】
分岐光ケーブルと架設された吊り線あるいは一体となった抗張力線で架渉された架空光ケーブルとを接続する方法において、
接続作業台は分岐する一方の架空光ケーブルと対抗する他方の架空光ケーブルとの間の位置であってこれらの架空光ケーブルに支持され、接続装置を前記接続作業台の上で移動あるいは回転させて接続することを特徴とする架空光ケーブルの接続方法。
【発明の詳細な説明】
【０００１】
【発明の属する技術分野】
本発明は、吊り線で添架されるか、一体となった抗張力線により架渉された架空光ケーブルを接続するに際し、短余長で接続することのできる作業台及び接続方法に関する。
【０００２】
【従来の技術】
電柱等により高所に架渉された光ケーブルの中間分岐、あるいは架空光ケーブルを延長するとき、短い心線余長で接続を行なうことの出来る技術が必要である。
図５は電柱に架設された架空光ケーブル２と分岐光ケーブル３とを融着接続を行なう場合の従来例を示す。この時、接続作業台１０はクロージャー７に固定され、架空光ケーブル２に対して一方の側には融着接続機４０、反対側にはカウンターウエイトを置いて重量バランスをとりながら行なっていた（例えば、１９９５年電子情報通信学会通信ソサイエティ大会Ｂ−６４４「架空での光ファイバ融着接続作業方法の検討」）。
【０００３】
【発明が解決しようとする課題】
このような従来の方法を用いた場合は、接続作業台１０を取り付ける支持母体がクロージャー７であるために、クロージャーの種類が変わればそれに合わせた接続作業台が必要となる。また、融着接続機４０の位置が調整できないために、光ファイバの接続余長を最短にすることができなかった。
そこで本発明は、クロージャーとは切り離して固定すると共に、接続装置を移動し回転可能の構成とした光ケーブルの接続作業台と接続方法を提供することを目的とする。
【０００４】
【課題を解決するための手段】
本発明に係わる架空光ケーブルの接続作業台は、架設された吊り線あるいは一体となった抗張力線により架渉された架空光ケーブルの接続作業台において、接続作業台は接続装置を移動及び回転可能に搭載し、該接続作業台は接続される一方の架空光ケーブルと接続される他方の架空光ケーブルとの間の位置であってこれらの架空光ケーブルに支持されていることを特徴とする。
【０００５】
本発明に係わる架空光ケーブルの他の接続作業台は、分岐光ケーブルと架設された吊り線あるいは一体となった抗張力線により架渉された架空光ケーブルとを接続する作業台において、接続作業台は接続装置を移動及び回転可能に搭載し、該接続作業台は分岐する一方の架空光ケーブルと対抗する他方の架空光ケーブルとの間の位置であってこれらの架空光ケーブルに支持されていることを特徴とする。
【０００６】
また、本発明に係わる架空光ケーブルの接続方法は、架設された吊り線あるいは一体となった抗張力線で架渉された架空光ケーブルの接続方法において、接続作業台は接続される一方の架空光ケーブルと接続される他方の架空光ケーブルとの間の位置であってこれらの架空光ケーブルに支持され、接続装置を前記接続作業台の上で移動あるいは回転させて接続することを特徴とする。
【０００７】
本発明に係わる架空光ケーブルの他の接続方法は、分岐光ケーブルと架設された吊り線あるいは一体となった抗張力線で架渉された架空光ケーブルとを接続する方法において、接続作業台は分岐する一方の架空光ケーブルと対抗する他方の架空光ケーブルとの間の位置であってこれらの架空光ケーブルに支持され、接続装置を前記接続作業台の上で移動あるいは回転させて接続することを特徴とする。
【０００８】
【発明の実施の形態】
以下、添付図面を参照して本発明の実施の形態を説明する。なお、図面の説明において同一要素には同一符号を付し、重複する説明を省略する。
図１は本発明の架空光ケーブルの接続作業台に係わる構成を示す斜視図であり、電柱等に架設された抗張力線２２を有する２本の架空光ケーブル２ａ、２ｂの光ファイバ２１を融着接続する作業台において、移動及び回転可能に搭載された融着接続機４を備えた接続作業台１が前記接続される一方の架空光ケーブル２ａと延長し接続される他方の架空光ケーブル２ｂとの間の位置であってこれらの架空光ケーブル２ａと２ｂとに支持されてる。
【０００９】
図２は本発明の他の接続作業台に係わる構成を示す斜視図であり、架設された吊り線２３を有する架空光ケーブル２ａの光ファイバ２１と分岐光ケーブル３の光ファイバ３１とを融着接続する作業台において、移動及び回転可能に搭載された融着接続機４を備えた接続作業台１が前記分岐する一方の架空光ケーブル２ａと対抗する他方の架空光ケーブル２ｂとの間の位置であってこれらの架空光ケーブル２ａと２ｂとに支持されている。
【００１０】
上記の各接続作業台１はベース板１１と、ベース板に設けられたレール１４上を図３に示した矢印Ａの方向に移動可能に、かつベース板１１を横切るように設けられた移動板１２とを備え、前記ベース板１１の両側はアーム１３によって架空光ケーブル２ａ、２ｂに取り付けられる。
【００１１】
移動板１２の上には、一方の側に調整機構５を介して融着接続機４、他方の側には融着接続機４と略同じ重量のカウンターバランサー６が配置される。接続作業台１を水平に保持し、接続作業をしやすくするためである。
【００１２】
図３に示すように、調整機構５は高さ（矢印Ｂの方向）及びベース板１１と直角方向（矢印Ｄの方向）にレール１５上を移動可能であり、また、垂直軸の回り（矢印Ｃの方向）に回転可能に取り付けられる。接続する光ファイバの余長が最短となり、作業のしやすい位置に融着接続機４を配置するためである。
【００１３】
図４は接続作業台１の両側は夫々架空光ケ−ブル２ａと２ｂに取り付けられ、移動板１２がケーブル２ａ側に移動した状態（イ）の場合と、略中央に移動した状態（ロ）の場合を示す。状態（イ）の場合は、ケーブル２ａから分岐して分岐ケーブル３と接続する場合に適する。状態（ロ）は架空光ケ−ブル２ａと２ｂを接続するのに適しており、融着接続機４の方向を９０度回転すると共にケーブルコア２４に近ずけて接続する。
【００１４】
融着接続機４とカウンターバランサー６は移動板１２の上で矢印Ｄのように融着接続機４を内側に移動するとカウンターバランサー６も内側へ、また一方を外側へ移動すると他方も外側に追随して同調しながら移動可能である。融着接続機４をどの位置へ移動しても接続作業台のバランスが採れ、水平を保持するためである。
【００１５】
架設された吊り線２３あるいは抗張力線２２を有する架空光ケーブル２ａ、２ｂの光ファイバ２１を接続する本発明の方法は、接続装置を移動及び回転可能に搭載した接続作業台１が前記接続される一方の架空光ケーブル２ａと接続される他方の架空光ケーブル２ｂとの間の位置であってこれらの架空光ケーブル２ａ、２ｂに支持され、接続作業台１の上で接続装置を矢印Ａ，Ｂ，Ｄの方向へ移動、あるいは矢印Ｃの方向に回転させて接続する。
【００１６】
また、架設された上記の架空光ケーブル２ａあるいは２ｂの光ファイバ２１と分岐光ケーブル３の光ファイバとを接続する本発明の方法は、接続装置を移動及び回転可能に搭載した接続作業台１が前記分岐する一方の架空光ケーブル２ａと対抗する他方の架空光ケーブル２ｂとの間の位置であってこれらの架空光ケーブル２ａ、２ｂに支持され、接続作業台１の上で接続装置を矢印Ａ，Ｂ，Ｄの方向へ移動あるいは矢印Ｃの方向に回転させて接続する。
これらの方法によって接続余長を最小にすることができ、かつ作業性を改善することが出来る。
【００１７】
上記の接続形態としては融着接続機を用いた融着接続の場合について説明したが、その他の方法、例えばメカニカルスプライス等に適用しても同様の効果が得られる。
【００１８】
【発明の効果】
本発明は、以上説明したような形態で実施され、以下に記載されるような効果を奏する。
【００１９】
分岐する一方の架空光ケーブルと対抗する他方の架空光ケーブルとの間の位置であって該架空光ケーブルに支持される構成であるので、クロージャーの種類に係わりなく接続作業台を架空光ケーブルに支持・固定して接続を行なうことが出来る。
【００２０】
また、接続装置は接続作業台の上で移動及び回転可能に搭載されているので、余長が最も短くなる位置及び方向で接続することができる。従って、接続余長を最小にすることができ、かつ作業性が優れている。
【図面の簡単な説明】
【図１】本発明の架空光ケーブルの接続作業台に係わる構成を示す斜視図である。
【図２】本発明の架空光ケーブルの接続作業台に係わる他の構成を示す斜視図である。
【図３】移動板の構成を説明するための図である。
【図４】本発明の作用・効果を説明するための図である。
【図５】従来の架空光ケーブルの接続作業台を示す斜視図である。
【符号の説明】
１、１０：接続作業台
１１：ベース板
１２：移動板
１３：アーム
１４、１５：レール
２、２ａ、２ｂ：架空光ケーブル
２１：光ファイバ
２２：抗張力線
２３：吊り線
２４：ケーブルコア
３：分岐ケーブル
３１：光ファイバ
４、４０：融着接続機
５：調整機構
６：カウンターバランサ
７：クロージャー
７１：クロージャーの底部
【図１】
0003831972.tif 000002
【図２】
0003831972.tif 000003
【図３】
0003831972.tif 000004
【図４】
0003831972.tif 000005
【図５】
0003831972.tif 000006